(57)【要約】【課題】予測パラメータを用いた需要予測精度を一層向上することができるようにした電力需要予測システムを提供する。【解決手段】予測パラメータ情報監視部２によって電力需要予測を行う前に各電力需要家１２からイベント情報の予測パラメータを入手し、これに基づいて電力需要予測部３で電力需要予測を行うようにし、イベント情報の予測パラメータとしては、電力需要家名、通常とは異なる電力使用となるイベントの有無、イベント予定日、イベント時間帯、イベント規模、過去に行われた同様のイベントに関する情報などを含めた。【選択図】図１
2006157984.tif 000002
【特許請求の範囲】
【請求項１】
複数の電力需要家毎の電力使用状況をそれぞれ入手する電力監視部と、少なくとも気象予測データの予測パラメータを用いて電力需要を予測する電力需要予測部とを有する中央制御装置を備えた電力需要予測システムにおいて、上記中央制御装置に、各電力需要家から送信されたイベントの予測パラメータを管理する予測パラメータ情報監視部を設け、上記電力需要予測部は上記予測パラメータ情報監視部で入手したイベント情報の予測パラメータと上記気象予測パラメータに基づいて該当日の電力需要量の予測を行うことを特徴とする電力需要予測システム。
【請求項２】
請求項１に記載のものにおいて、上記気象予測データの予測パラメータは、最高気温、天候、湿度を含み、上記イベント情報の予測パラメータは電力需要家名、通常とは異なる電力使用となるイベントの有無、その予定日、時間帯、イベント規模などの情報を含むことを特徴とする電力需要予測システム。
【請求項３】
請求項１に記載のものにおいて、上記中央制御装置に、上記予測パラメータ情報監視部によって入手したイベント情報の予測パラメータに基づく電力需要予測量と、上記電力監視部によってこの電力需要予測を行った上記電力需要家の実際の電力使用量とを比較して予測パラメータの有効性を算出し、この算出結果を電力料金に重み付け反映する会計システムを設けたことを特徴とする電力需要予測システム。
【請求項４】
請求項１に記載のものにおいて、上記中央制御装置に、上記イベント情報の予測パラメータを送ることによって上記電力需要家が受けられる利益を上記電力需要家に送信する利益情報通知部を設けたことを特徴とする電力需要予測システム。
【請求項５】
請求項１に記載のものにおいて、上記中央制御装置に、上記予測パラメータ情報監視部で入手したイベント情報の予測パラメータを事前に確認するために上記電力需要家に送信する事前確認部を設けたことを特徴とする電力需要予測システム。
【発明の詳細な説明】
【技術分野】
【０００１】
本発明は、例えばＰＰＳ事業者（特定規模電気事業者）ように不特定多数の需要家に対して電力を供給する場合に、予め電力需要予測を行う電力需要予測システムに関する。
【背景技術】
【０００２】
従来の電力需要予測システムは、一般的に、中央制御室に設置された中央制御装置のシステム管理者、または、システムのオーナーや当該会社の営業部門などのシステム運用者が、天候や温度などの気象データを元に電力需要予測を行うことや、社会的行事があるか否かを考慮することが知られている（例えば、非特許文献１を参照）。また、各電力需要家にそれぞれ端末装置を設け、この端末装置から使用電力量、今後の使用予定量および自家発電設備情報を送信してもらうようにしたシステムが知られている（例えば、特許文献１を参照）。
【特許文献１】特開２００２−７８２０１号公報
【非特許文献１】関根泰次著「電力系統工学」（電気書院）の１８０ページおよび１８１ページ
【発明の開示】
【発明が解決しようとする課題】
【０００３】
しかしながら、従来の電力需要予測システムでは、各電力需要家主体のイベント情報を入手したり考慮するものではなかったので、各電力需要家のイベントが計画されるとその電力予測に大きな差が生じてしまい、結局、部分的な情報であるために精度良い全体の発電計画を立てるのが難しく、まして、急なイベントの発生やイベント内容の変更が発生した場合、これらの情報を十分に発電計画に反映させることができなかった。その結果、不正確な電力需要予測となり、無駄な発電を行うことがあった。
【０００４】
本発明の目的は、予測パラメータを用いた需要予測精度を一層向上することができるようにした電力需要予測システムを提供することにある。
【課題を解決するための手段】
【０００５】
本発明は上記目的を達成するために、複数の電力需要家毎の電力使用状況をそれぞれ入手する電力監視部と、少なくとも気象予測データの予測パラメータを用いて電力需要を予測する電力需要予測部とを有する中央制御装置を備えた電力需要予測システムにおいて、上記中央制御装置に、各電力需要家から送信されたイベントの予測パラメータを管理する予測パラメータ情報監視部を設け、上記電力需要予測部は上記予測パラメータ情報監視部で入手したイベント情報の予測パラメータと上記気象予測パラメータに基づいて該当日の電力需要量の予測を行うことを特徴とする。
【０００６】
請求項２に記載の本発明は、請求項１に記載のものにおいて、上記気象予測データの予測パラメータは、最高気温、天候、湿度を含み、上記イベント情報の予測パラメータは電力需要家名、通常とは異なる電力使用となるイベントの有無、その予定日、時間帯、イベント規模などの情報を含むことを特徴とする。
【０００７】
また請求項３に記載の本発明は、請求項１に記載のものにおいて、上記中央制御装置に、上記予測パラメータ情報監視部によって入手した予測パラメータに基づく電力需要予測量と、上記電力監視部によってこの電力需要予測を行った上記電力需要家の実際の電力使用量とを比較して予測パラメータの有効性を算出し、この算出結果を電力料金に重み付け反映する会計システムを設けたことを特徴とする。
【０００８】
さらに請求項４に記載の本発明は、請求項１に記載のものにおいて、上記中央制御装置に、イベント情報の予測パラメータを送ることによって上記電力需要家が受けられる利益を上記電力需要家に送信する利益情報通知部を設けたことを特徴とする。
【０００９】
さらに請求項５に記載の本発明は、請求項１に記載のものにおいて、上記中央制御装置に、上記予測パラメータ情報監視部で入手したイベント情報の予測パラメータを事前に確認するために上記電力需要家に送信する事前確認部を設けたことを特徴とする。
【発明の効果】
【００１０】
本発明による電力需要予測システムは、予測パラメータ情報監視部によって電力需要予測を行う前に各電力需要家からイベント情報の予測パラメータを入手し、このイベント情報の予測パラメータと気象予測データの予測パラメータに基づいて電力需要予測部で電力需要予測を行うことができるため、システム運用者から各電力需要家に対してイベント情報の予測パラメータを要求することによって、多くの電力需要家からイベント情報の予測パラメータを入手することが可能となり、またイベント内容に変更が生じても最新の予測パラメータを取得することができ、同時に気象予測データおよびイベント情報の予測パラメータを用いて電力需要の予測を精度良く行うことができる。
【００１１】
また請求項２に記載の本発明による電力需要予測システムは、予測パラメータ要求部によって各電力需要家に要求するイベント情報の予測パラメータとしては、電力需要家名、通常とは異なる電力使用となるイベントの有無、イベント予定日、イベント時間帯、イベント規模、過去に行われた同様のイベントに関する情報などを含み、またその他の気象予測データの予測パラメータとして最高気温、天候、湿度を含んでいるため、両予測パラメータに基づいて電力需要予測部で行う電力需要予測の予測精度を一層向上することができる。
【００１２】
また請求項３に記載の本発明による電力需要予測システムは、イベント情報の予測パラメータを送ることによってその電力需要家が受けられる利益を電力需要家に送信する利益情報通知部を設けたため、電力需要家で受けられる利益を具体的に電力需要家端末装置によって見ることができ、それに基づいて予測パラメータの回収率に大きくして予測精度を向上することができる。
【００１３】
さらに請求項４に記載の本発明による電力需要予測システムは、予測パラメータ情報監視部で入手したイベント情報の予測パラメータを事前に確認するために電力需要家に送信する事前確認部を設けたため、途中で予測パラメータに変更が生じたとしても当日予定に即したものに変更することができ、予測パラメータの回収率を高めると共に、事前の変更まで考慮して予測パラメータの精度を向上することができ、電力予測精度を一層向上することができる。
【００１４】
さらに請求項４に記載の本発明による電力需要予測システムは、中央制御装置に設けた会計システムによって、各電力需要家から提供されたイベント情報の予測パラメータに基づいて算出した予測需要電力と、実際の電力使用実績とから、その入力された予測パラメータの有効性を求め、これを請求する電力用金に反映させながら提供された予測パラメータなどの情報も各電力需要家に通知するするようにしているため、各電力需要家は自分が提供した予測パラメータとそれに基づく電力料金の係わりを知ることができ、さらなる電力需要家からの精度良い予測パラメータの提供を促進させることが期待できる。
【発明を実施するための最良の形態】
【００１５】
以下、本発明の実施の形態を図面に基づいて説明する。
図１は、本発明の一実施の形態による電力需要予測支援システムを示すブロック構成図である。
ＰＰＳ事業者の中央制御室に設置した中央制御装置１は、その通信部７によってインターネット８を介して複数の各電力需要家１２に接続している。この中央制御装置１には、各電力需要家１２との間でイベント情報の予測パラメータに関係する情報の授受を行う電力予測パラメータ情報監視部２と、この電力予測パラメータ情報監視部２で取得した予測パラメータおよび気象庁から取得した気象予測データの予測パラメータに基づいて需要電力を予測計算する電力需要予測部３と、各電力需要家１２の実際の電力消費量を監視する電力監視部４と、これら各部における情報を記憶格納する記憶部５と、電力監視部５で取得した実際の電力消費量に基づく電力使用料金や、各電力需要家１３から取得したイベント情報の予測パラメータに基づいて予測した予測需要電力と実際の使用電力を比較してペイバック料金を算出したりする会計システム６とが設置されている。
【００１６】
中央制御装置２の通信部７には、インターネット８を介して複数の電力需要家１２が接続されている。これら複数の電力需要家１２は、その電力需要家１２毎に使用した電力量を計測する電力量計９と、この電力量計９で計測した結果を中央制御装置２に送るためのパルス検出器１０と、その電力需要家１２毎にイベント情報の予測パラメータに関する情報の授受を行う電力需要家端末装置１１とを有している。この電力需要家端末装置１１は、インターネット７を介してＷｅｂ画面を表示する機能を有する通常のパーソナルコンピュータや携帯電話器等によって構成することができる。
【００１７】
図２は、上述した電力予測パラメータ情報監視部２の具体構成を示すブロック構成図である。
この電力予測パラメータ情報監視部２は、図２のブロック構成図に示すように各電力需要家１２に対して任意の時期にイベント情報に関連する予測パラメータの要求を行う予測パラメータ要求部２ａと、この予測パラメータ要求部２ａによる要求に対してあるいはそれとは別に入信した予測パラメータを受信すると共に各電力需要家１２の間での情報の授受を行う際に相手の認証を行い各電力需要家１２毎に記憶部５に記憶する予測パラメータ受信部２ｂと、各電力需要家１２に対して要求した予測パラメータの返信状況を監視する返信監視部２ｃと、既に記憶部５に登録されている予測パラメータに基づいてイベントの前日に内容確認の通知を行う前日確認部２ｄと、過去に行われた同様のイベントに関連する予測パラメータを通知することによって得られたペイバック料金などの利益情報を通知する利益情報通知部２ｅとを有している。
【００１８】
ここでいう気象予測データの予測パラメータとは、気象庁から入手した気象予測データの予測パラメータとして最高気温、天候、湿度などであり、イベント情報の予測パラメータとは、各電力需要家１２から入手する通常使用とは異なる電力使用が予定されるイベントに関する情報に含むものである。イベント情報の予測パラメータとしては、少なくとも電力需要家名、通常とは異なる電力使用となるイベントの有無、イベント予定日、イベント時間帯、過去のイベント実績情報、イベント規模などの情報を含み、望ましくは、さらにイベント内容、使用する電力設備、過去のイベント実績情報としては過去に行われた同様のイベントに関する実績電力使用量や電力設備情報などの情報を含んだものである。
【００１９】
図３は、上述した各電力需要家１２に設置した電力需要家端末装置１１の処理動作を示すフローチャートである。
電力需要家１２は、ステップＳ１で電力需要家端末装置１１によってＰＰＳ事業者からの通知があったことを判定すると、ステップＳ２でそれが予測パラメータの要求かその他の情報通知かを判定する。この通知がイベント情報の予測パラメータの要求である場合、ステップＳ３で電力需要家端末装置１１で受信したメールに定義されたＷｅｂのリンク情報から呼び出された画面から、ログイン認証のためのパスワードを入力した後、予測パラメータおよびその有無などの情報を入力してＰＰＳ事業者へ送信する。また、ステップＳ２の判定結果、通知がその他の情報通知の場合は、ステップＳ４で電力需要家端末装置１１でこれを表示し、この情報を確認する。
【００２０】
図４は、上述した電力予測パラメータ情報監視部２の処理動作を示すフローチャートである。
予測パラメータ要求部２ａは、ステップＳ５で一定周期での周期設定日時を監視し、この周期設定日時になったとき、ステップＳ６で各電力需要家１２に対して近い将来あるいは次回の周期設定日時までに行うイベントに関する予測パラメータの要求を行うメールを作成し、ステップＳ７で通信部７から各電力需要家１２に設置した電力需要家端末装置１１に配信する。この予測パラメータ要求部２ａからの要求に対して、あるいは要求とは別に電力需要家１２から予測パラメータの通知があった場合、予測パラメータ受信部２ｂはステップＳ９で電力需要家１２からの予測パラメータを受信する。予測パラメータとしては、電力需要家名、通常とは異なる電力使用となるイベントの有無、イベント予定日、イベント時間帯、イベント内容、イベント規模、使用する電力設備、過去に行われた同様のイベントに関する実績電力使用量や電力設備情報などの情報を含んでいる。このとき予測パラメータ受信部２ｂは、ステップＳ８で電力需要家１２からのログイン認証を行い、ステップＳ１０で受信した各予測パラメータを各電力需要家１２毎に記憶部５にそれぞれ格納する。
【００２１】
その後、返信監視部２ｄは、ステップＳ１１で記憶部５に格納した予測パラメータが全ての電力需要家１２から得られたかどうかを判定したり、もしくはステップＳ１２で予め設定した受付締め切り日に達したかどうかを判定しながら監視して、一周期分の予測パラメータを入手する。ステップＳ１３で前日確認部２ｅは、この一周期分の予測パラメータのうちイベント開催日よりも前の確認日、遅くとも前日の９時になったものがあるかどうかを判定し、この確認日になっているならステップＳ１４で、この確認日に再確認するイベントがあるかどうかを判定し、その結果確認するイベントがある場合、ステップＳ１５でその予測パラメータを送信してきた電力需要家１２に対して予測パラメータの確認と変更の有無を問い合わせる。
【００２２】
この問い合わせを受けた電力需要家１２は最初の場合と同様にログイン認証を行って予測パラメータの確認もしくは変更を行う。その結果、前日確認部２ｅは、ステップＳ１６で問い合わせた電力需要家１２からの返信を管理し、ステップＳ１７で予測パラメータ受信部２ｂで受け付けている予測パラメータと照合し、変更があれば最新のものに更新し記憶部５に記憶する。
【００２３】
ステップＳ１４の問い合わせに対して返信がない場合は、ステップＳ１８で予測パラメータ受信部２ｂが既に受け付けている予測パラメータに変更がないものとしてこれを確定し、記憶部５に記憶する。ステップＳ７を実行する際に、あるいは適当な日時に料金情報通知部２ｅは、対応する電力需要家１２における過去の情報、つまり予測パラメータの返信によって後述するように料金面で得られた利益に関するメールを作成し、配信し、予測パラメータの回収率の向上を促す。
【００２４】
図４は、上述した中央制御装置１の全体的な処理動作を示すフローチャートである。
中央制御装置１の電力需要予測部３は、ステップＳ１９で気象庁から気象予測データの予測パラメータを入手し記憶部５に格納する。この気象予測データの予測パラメータとしては、最高気温、天候、湿度などを含んでいる。続くステップＳ２０からステップＳ２３は図４に示した電力予測パラメータ情報監視部２の処理動作を要約したもので、ステップＳ２０で予測パラメータ情報監視部２から各電力需要家１２の電力需要家端末装置１１に対して次回の周期設定日時までのイベントに関する予測パラメータの入力依頼をメールに変換し、通信部７を介して各電力需要家端末装置１１に配信する。これを受信した各電力需要家１２の電力需要家端末装置１１は、上述した図３のステップＳ３によって予測パラメータに関連する情報をインターネット８を介して送信する。予測パラメータ情報監視部２がこれを受信すると、ステップＳ２１で各電力需要家１２の電力需要家端末装置１１から送信されてきた予測パラメータまたはその有無などの情報を受信し、ステップＳ２２でこれを電力需要家１２毎に記憶部５にそれぞれ記憶する。ステップＳ２３で予測パラメータおよびその有無などの情報の受信が完了、または受付締め切り日になったことを確認したなら、ステップＳ２４で電力需要予測部３に動作指令を与える。
【００２５】
この動作指令を受けた電力需要予測部３は、ステップＳ２５で記憶部５に格納されている気象庁から取得した気象予測データと、各電力需要家１２毎に取得した最新の予測パラメータと、過去の類似イベントでの使用電力情報などに基づいて、明日または少し先のイベント日の需要電力を予測計算する。気象予測データとしては天候、最高気温、湿度を含んでおり、またイベント情報の予測パラメータとしては電力需要家名、通常とは異なる電力使用となるイベントの有無、イベント予定日、イベント時間帯、イベント内容、イベント規模、使用する電力設備、過去に行われた同様のイベントに関する実績電力使用量や電力設備情報などの情報を含んでおり、さらに、既に記憶部５に格納されている過去の類似イベントでの使用電力情報としては過去の予測パラメータの記録としての同様の情報を含んでいる。
【００２６】
過去の類似イベントでの使用電力情報が記憶部５に記憶されていない場合は、今回入手した予測パラメータに含まれた過去の実績を利用し、今回と過去のイベント内容と規模を比較し、過去の電力使用予測量を参考にしながら、今回の電力使用予測量を予測する。このとき、今回使用する電力設備と過去に使用した電力設備を比較しながら、その電力設備が天候、最高気温、湿度などの気象条件によって消費電力が変動するものであれば、入手している気象予測データを考慮して最終的な今回の電力使用予測量を予測する。
【００２７】
その後、ステップＳ２６で中央制御装置１のシステム運用者は、全体的な電力予測結果から発電計画を立て、これを発電事業者に通知する。発電事業者は、ＰＰＳ事業者からの発電計画に基づいて当日の発電を実行する。
【００２８】
図６は、発電計画に基づいて発電を実行するときの電力監視部４の処理動作を示すフローチャートである。
発電事業者は、ＰＰＳ事業者から入手した発電計画に基づいて発電を行うが、このとき図１に示した中央制御装置１の電力監視部４は発電計画の補正を行い、その結果を発電計画に反映させる。つまり、ステップＳ２７に示すようにＰＰＳ事業者の電力監視部４は、発電事業者からの発電状況を入手しながら、ステップＳ２８で各電力需要家１２毎の電力量計９で計測した実際の消費電力情報をパルス検出器１０から入手し、ステップＳ２９で同一時刻の発電計画による電力消費量と、実際の電力消費量とを比較し、両者に差がある場合は、ステップＳ３０で発電計画に補正を加える。これを発電事業者に通知して、当日の発電計画に補正を加え、発電事業者による効率的な発電を実施するようにする。
【００２９】
また、電力監視部４は、予測パラメータを送信していた電力需要家１２の電力量計９で計測した実際の消費電力情報をパルス検出器１９から入手し、その消費電力情報をその電力需要家１２毎に記憶部５へ格納する。その後、ステップＳ３１で当日の発電計画が終了したか否かを判定し、終了していない場合はステップＳ１３に戻ってリアルタイムの補正を継続する。一方、当日の発電計画が終了したならこの動作を終了する。
【００３０】
図７は、図１に示した会計システムの処理動作を示すフローチャートである。
会計システム６は、イベント終了後の会計日時になると、ステップＳ３２で記憶部５に格納された各電力需要家１２毎の実際の消費電力情報を取り出し、ステップＳ３３でそれに基づいて電力料金を算出し、これを記憶部５に記憶させる。また、このとき会計システム６は、ステップＳ３４で記憶部５に格納した各電力需要家１２毎の予測パラメータにより算出した予測需要電力と、電力量計９からの実際の電力使用実績とを比較して予測パラメータの有効性を判定する。この有効性の判定は、両者の割合と予め設定した閾値とを比較し、閾値を超えた場合に有効性があると判定し、閾値を超えない場合には有効性がないと判定する。
【００３１】
この結果、有効性があると判定された場合、ステップＳ３５でこの有効性を示す割合が高いほど大きなポイントを付与し、そのポイントに応じた割引等を決定する。その後、ステップＳ３６では電力料金の決定を行うが、ステップＳ３４で有効性があると判断した場合には、この割引率を反映させて電力料金の決定を行い、一方、ステップＳ３４で有効性がないと判断した場合には割引率を反映させないで電力料金の決定を行う。ここで、ステップＳ３４で有効性がないと判断した場合でも予測パラメータを提供した場合と、その提供がない場合とで差を付けるために、前者に対して最小のポイントを付加することもできる。その後、ステップＳ３７でこれらの電力料金、予測パラメータの有効性、ポイントなどを各電力需要家１２毎に記憶部６に格納する。
【００３２】
その後、会計システム６は、ステップＳ３８で情報提供日になったか否かを判定し、この情報提供日になったならば、ステップＳ３９で各電力需要家１２毎に記憶部５を参照して電力料金と、各予測パラメータの入力内容と、各予測パラメータの有効性と、ポイントや割引に対する情報を取り込み、これら情報をメールに変換し、通信部７を介してその電力需要家１２の電力需要家端末装置１１に配信する。この配信は、情報提供日に限らず、料金請求日に同時に行うこともできる。
【００３３】
このような電力需要予測支援システムによれば、システム運用者が気象予測データやこれまでの実績などを参照しながら使用電力の予測をしたとしても、各電力需要家１２の独自のイベントや直前の変更などを予測することができなかったのに対して、予測パラメータ情報監視部２によって電力需要予測を行う前に各電力需要家１２からイベント情報の予測パラメータを入手し、気象予測データと合わせてこれに基づいて電力需要予測部３で電力需要予測を行うことができるため、システム運用者からイベント情報の予測パラメータを要求することができ、この要求によって多くの電力需要家１２から予測パラメータを入手することが可能となり、予測パラメータを用いた電力需要の予測を精度良く行うことができる。
【００３４】
また予測パラメータ要求部２ａによって各電力需要家１２に要求する予測パラメータとしては、電力需要家名、通常とは異なる電力使用となるイベントの有無、イベント予定日、イベント時間帯、イベント規模、過去に行われた同様のイベントに関する情報などを含み、電力需要予測部３はこのイベント情報の予測パラメータと気象予測データの予測パラメータを取り入れて電力需要予測を行うようにしたため、予測パラメータに基づいて電力需要予測部３で行う電力需要予測の予測精度を一層向上することができる。また、この精度はイベント情報の予測パラメータの回収率に大きく依存するが、イベント情報の予測パラメータを送ることによってその電力需要家１２が受けられる利益を電力需要家端末装置１１に送信する利益情報通知部２ｅを設けたり、予測パラメータ情報監視部２ａで入手した予測パラメータを事前に確認するために電力需要家端末装置１１に送信する事前確認部２ｄを設けたため、イベント情報の予測パラメータの回収率を高めると共に、事前の変更まで考慮してイベント情報に関する予測パラメータの精度を向上することができ、電力予測精度を一層向上することができる。
【００３５】
また中央制御装置１に設けた会計システム６は、各電力需要家１２から提供されたイベント情報の予測パラメータに基づいて算出した予測需要電力と、実際の電力使用実績とから、その入力された予測パラメータの有効性を求め、これを請求する電力用金に反映させながら提供された予測パラメータなどの情報も各電力需要家１２に通知するするようにしているため、各電力需要家１２は自分が提供した情報とそれに基づく電力料金の係わりを知ることができ、さらなる電力需要家からのイベント情報に関する予測パラメータの提供を促進させることが期待できる。
【産業上の利用可能性】
【００３６】
本発明の電力需要予測支援システムは、図１に示したものに限らず類似構成の他の電力需要予測支援システムにも適用することができる。
【図面の簡単な説明】
【００３７】
【図１】本発明の一実施の形態による電力需要予測支援システムを示すブロック構成図である。
【図２】図１に示した電力需要予測支援システムにおける予測パラメータ情報監視部を示すブロック構成図である。
【図３】図１に示した電力需要予測支援システムにおける電力需要家端末装置の処理動作を示すフローチャートである。
【図４】図１に示した電力需要予測支援システムにおける予測パラメータ情報監視部の処理動作を示すフローチャートである。
【図５】図１に示した電力需要予測支援システムにおける中央制御装置の概略処理動作を示すフローチャートである。
【図６】図１に示した電力需要予測支援システムにおける電力監視部の処理動作を示すフローチャートである。
【図７】図１に示した電力需要予測支援システムにおける会計システムの処理動作を示すフローチャートである。
【符号の説明】
【００３８】
１  中央制御装置
２  予測パラメータ情報監視部
２ａ  予測パラメータ要求部
２ｂ  予測パラメータ受信部
２ｃ  返信監視部
２ｄ  前日確認部
３  電力需要予測部
４  電力監視部
５  記憶部
６  会計システム
８  インターネット
９  電力量計
１０  パルス検出器
１１  電力需要家端末装置
１２  電力需要家
【図１】
2006157984.tif 000003
【図２】
2006157984.tif 000004
【図３】
2006157984.tif 000005
【図４】
2006157984.tif 000006
【図５】
2006157984.tif 000007
【図６】
2006157984.tif 000008
【図７】
2006157984.tif 000009